(57)【特許請求の範囲】
【請求項１】
携帯電話機を車体に着脱可能に保持する携帯電話機保持装置であって、
車体に対して固定され、少なくとも一部の幅が前記携帯電話機の本体の幅よりも小さく形成される本体と、
この本体に対してスライド可能に設けられ前記携帯電話機本体の一方の端部を係止・固定させる保持体と、
前記本体の前記保持体が設けられる側の端部に取り付けられ、左右の作動腕を有するトーションばねと、を備え、
前記保持体は、前記トーションばねの左右の作動腕と当接する被押圧部を有し、前記被押圧部を介して前記トーションばねにより本体へ向かう方向に付勢される携帯電話機保持装置。
【請求項２】
携帯電話機を車体に着脱可能に保持する携帯電話機保持装置であって、
前記携帯電話機保持装置の本体を車体に対して傾斜可能に取り付ける固定手段を備える請求項１に記載の携帯電話機保持装置。
【請求項３】
前記固定手段が、車体に対して本体の傾斜角度を変更する傾斜機構を備える請求項２に記載の携帯電話機保持装置。
【発明の詳細な説明】
【０００１】
【発明の属する技術分野】
本発明は、携帯電話機を保持して車内などに載置するための携帯電話機保持装置に関する。
【０００２】
【従来の技術】
自動車などの車内に携帯電話機を取り付けて使用するため携帯電話機本体を着脱可能に保持固定する車内保持装置が知られている。従来の車内保持装置の一例について、図８に示す。この図８において、（Ａ）は車内保持装置の平面図、（Ｂ）は側断面図である。
【０００３】
この車内保持装置１００は、主に、略箱型状のケース１０１と、このケース１０１の表面側に設けた凹状の収納部１０２と、この収納部１０２に設けた係止部１０３とを備えている。
【０００４】
このうち、収納部１０２は、保持させようとする図示外の携帯電話機本体が収まる広さを有する略矩形状に形成されており、一端部側に凹所１０３を有するとともに他端部側に係止部１０３を有している。
一方、係止部１０３は、回動支点Ａを中心に回動する回動板１０２Ｂの先端部側に取り付けたフック１０３Ａと、回動板１０２Ｂを背面側から弾性力で付勢するスプリング１０３Ｂとで構成されている。
【０００５】
従って、この車内保持装置１００に携帯電話機を挿入・保持させる場合には、初めに、携帯電話機本体の一端部（下端部）を凹所１０２Ａに挿入後、この凹所１０２Ａを支点にして携帯電話機本体を回動させ（円弧運動させ）、この携帯電話機本体の他端部（先端部）を係止部１０３が設けてある収納部１０２の他端部側へ押し込ませて保持させるようになっている。
【０００６】
これにより、回動板１０２Ｂがスプリング１０３Ｂの弾性力に抗してケース１０１内に後退し、この間に、フック１０３Ａを通過して携帯電話機本体の他端部（先端部）が収納部１０２の他端部に入り込むことができる。その後、スプリング１０３Ｂの弾性力で回動板１０２Ｂが元の状態まで押し戻され、フック１０３Ａにより携帯電話機本体が安定した状態で固定・保持される。
【０００７】
【発明が解決しようとする課題】
しかしながら、上記のような構成の車内保持装置では、携帯電話機を収納保持する収納部の形状やフックの位置などは、携帯電話機本体の形状によって異なるため、携帯電話機本体の形状が変わるごとに、これに対応した専用の車内保持装置を構成する必要があり、車内保持装置の共用化ができないという課題があった。また、収納部において携帯電話機の幅方向を規制するため、携帯電話機本体の幅よりも広い幅を持った車内保持装置が必要であった。
【０００８】
また、先述した車内保持装置には、通常、例えば同図（Ａ）に示すように、ケース１０１に取付固定用のビス穴１０１Ａが設けられており、車内保持装置１００を車体内に取り付ける場合は、このビス穴１０１Ａを利用してビスで直接車体内の適宜の部材に取り付けるか、又は図示しないベルトで固定するような構成になっている。
【０００９】
ところが、車内保持装置を車内に取り付けたときに、例えば、携帯電話機を使用者から見やすくするために車内保持装置ごと向きを変えたいような場合は、車内保持装置を一旦取り外して付け直さなければならないという課題があった。
【００１０】
本発明は、上記事情に鑑みてなされたもので、長さなどの形状の異なる携帯電話機に対して共用でき、操作が容易で安定した着脱が可能な携帯電話機保持装置を提供することを目的とする。
また、本発明は、車内に取り付け固定した後でも携帯電話機の向きを容易に変えることが可能な携帯電話機保持装置を提供することを目的とする。
【００１１】
【課題を解決するための手段】
本発明は、第１に、携帯電話機を車体に着脱可能に保持する携帯電話機保持装置であって、
車体に対して固定され前記携帯電話機が搭載される本体と、
この本体に対してスライド可能に設けられ前記携帯電話機本体の一方の端部を係止・固定させる保持体と、
この保持体に本体へ向かう弾性力を付勢する弾性部材と
を備えたことを特徴としている。
【００１２】
これにより、保持体をスライドさせることで、長さの異なる各種の携帯電話機の保持を行うことが可能になる。
【００１３】
また、第２に、前記携帯電話機保持装置の本体の少なくとも一部の幅が、前記携帯電話機の本体の幅よりも小さく形成してもよい。
【００１４】
これにより、携帯電話機を把持する手の指で、携帯電話機の裏側まで掴めるようになるので、把持動作が安定するとともに確実になる。
【００１５】
また、第３に、前記弾性部材をトーションばねで構成するのが好ましい。
【００１６】
これにより、小スペースに設置することができ、限られた狭い車内での適用には都合がよい。
【００１７】
また、第４に、この発明は、携帯電話機を車体に着脱可能に保持する携帯電話機保持装置であって、
前記携帯電話機保持装置の本体を車体に対して傾斜可能に取り付ける固定手段を備えたことを特徴ととしている。
【００１８】
これにより、使用者の使用態様や体格などに合わせ、好みの角度で携帯電話機を保持できる。
【００１９】
また、第５に、前記固定手段に、車体に対して本体の傾斜角度を変更する傾斜機構を備えることがこのましい。
【００２０】
これにより、都合に合わせて傾斜角度が適宜変更できるので、使い勝手が向上する。
【００２１】
【発明の実施の形態】
以下、添付図面を参照して本発明の実施の形態を説明する。
［第１の実施形態］
図１は、この発明の第１の実施形態に係る携帯電話機保持装置を示すものであり、この携帯電話機保持装置は、大略構成として、車体に対して固定されて不動状態の本体１と、この本体１に対してスライド可能な保持体２と、この保持体２に本体１に向かう弾性力を付勢する弾性部材３とを備えている。
【００２２】
本体１は、表面に一部が窪んだ凹所１Ａを形成しており、この凹所１Ａに携帯電話機４を収納させるようになっている。また、この本体１には、携帯電話機４を背面側まで指を回り込ませて確実に把持できるようにするため、中間部分が長さＳだけくびれた形状を有しており、この括れ部１Ｂでの携帯電話機保持装置での幅Ｗは、少なくとも収納・保持する携帯電話機の幅Ｗ´よりも狭くなっている。なお、この本体１の上端部側には、図２に示すように、図示外の外部アンテナコネクタを挿入するための孔１０を設けている。
【００２３】
保持体２には、同図に示すように、スライド部２Ａと、被押圧部２Ｂと、フック部２Ｃなどとを備えている。
スライド部２Ａは、本体１の表面上、主に、括れ部１Ｂ上面に沿ってスライドするようになっており、このときのスライド動作をガイドするとともに、スライド量を規制するため、中央部にガイド孔２１が開口されている。このガイド孔２１は、本体１側の括れ部１Ｂから突設するガイドピン１１を係合させている。また、このスライド部２Ａは、両側面２２が本体１側の括れ部１Ｂに設けたガイド壁１２に当接するようになっており、前述したガイドピン１１とガイド壁１２とに拘束されることにより、保持体２のスライド方向とスライド範囲が一定に規制されている。
【００２４】
被押圧部２Ｂは、図２において上端部分に当接面２３を設けており、本体１側に設けたボス１３に取り付けた弾性部材３であるトーションばね１４の両端部１４Ａを介してばね力が付勢されるようになっている。即ち、この被押圧部２Ｂは、同図において、常時、下方向にトーションばね１４の弾性力が付勢されており、これにより、普段、携帯電話機４が収納・保持されていない状態では、本体１に対して下方へ向けて最下部まで押動され、ガイド孔２１の上縁部にガイドピン２１が当接した状態で停止している（同図（Ａ）参照）。なお、この被押圧部２Ｂの当接面２３は、トーションばね１４の両端部１４Ａが外れないようするため、互いに対向する内側向きに傾斜させている。
【００２５】
フック部２Ｃは、本体１の凹部１Ｃに一端が挿入・係止された携帯電話機４の他端(上端)部を係止・固定させるものであり、トーションばね１４のばね力で携帯電話機４の他端に当接し、本体１の凹所１Ａから抜け出るのを防止するようになっている。なお、このフック部２Ｃを含む保持体２は、普段、携帯電話機４を収めていないときには、図３（Ａ）のように、本体１に対して接近した状態、つまり携帯電話機保持装置全体としてみれば、最も短縮した状態にある。
また、携帯電話機４を凹所１Ａに収納させるときには、携帯電話機４の他端部（上端部）がフック部２Ｃを通り抜けることができるようにするため、フック部２Ｃを設けてある保持体２が、同図（Ｂ）のように、本体１に対して離間する方向にスライド動作する。つまり携帯電話機保持装置としてみれば、全体が伸長した状態となるように保持体２が一時的にスライド動作するような構成となっている。
【００２６】
次に、この実施形態にかかる携帯電話機保持装置の作用について説明する。
初めに、携帯電話機４の一端部（下端部）を凹所１Ｃに挿入後、この凹所１Ｃを支点にして携帯電話機４を回動させ（円弧運動させ）、この携帯電話機４の他端部（上端部）を保持体２のフック部２Ｃへ押し込ませる。
【００２７】
すると、携帯電話機４の押し込み力により、図２（Ａ）の状態にあった保持体２がトーションばね１４の弾性力に抗して右方に移動し、換言すれば、トーションばね１４の両腕部を押し広げるようにしながら、被押圧部２Ｂが本体１の括れ部１Ｂに対して離間するように右方に後退する（図２（Ｂ）参照）。これにより、フック部２Ｃを通り抜けて携帯電話機１の他端部（上端部）が保持体２に入り込むことができる。
その後、トーションばね１４の弾性力で被押圧部２Ｂが左方へ押し戻され、フック部２Ｃにより携帯電話機４の他端部（上端部）の外面部分が安定した状態で固定・保持される。
【００２８】
従って、この第１の実施形態によれば、トーションばね１４を用いているので、省スペース化を図ることが容易であり、また、このトーションばね１４には左右２本の作動腕を有しているので、一般に使用されているコイルばねなどに比べて、本体１の括れ部１Ｂや保持体２が傾斜することが防止されており、スムースな伸縮動作が可能になる。
【００２９】
［第２の実施形態］
次に、この発明の第２の実施形態に係る携帯電話機保持装置について説明する。なお、この実施形態において、第１の実施形態と同一部分には同一符号を付して重複説明を避ける。
図４は、第２の実施形態にかかる携帯電話機保持装置を示すものであり、この携帯電話機保持装置は、本体１の中間部に、傾斜機構を兼用した固定手段５を備えている。
【００３０】
この固定手段５は、大略構成として、台座５１と、この台座５１に内挿・保持させた回動部材５２とを有しており、携帯電話機保持装置の本体１内部に設けたブラケット５０を介して携帯電話機保持装置の本体１に取り付けられている。
【００３１】
ブラケット５０には、中央部にビス５３を通す孔５０Ａを設けている。台座５１は、上部が開口されて略半球状に形成されており、図５に示すように、内周面５１Ａには回動部材５２が回動可能に当接するようになっている。また、このブラケット５０を取り付けている携帯電話機保持装置の本体１には、ブラケット５０にビス５４を差し込ませるための開口部１Ｄを表面側に設けており、普段はこの開口部１Ｄをキャップ５５を被せて外部から見えないようにしている。また、携帯電話機保持装置の本体１の底面には、回動孔１Ｅ（図４（Ｂ）参照）を開口させている。
【００３２】
回動部材５２は、上部がフラットな円形状の平面を有するとともに、下部の外輪部５２Ａが台座５１の内周面５１Ａに当接するように構成されている。また、この面には中央部にビス５４が通る孔を開口している。一方、この回動部材５２の下部は開口されており、この下部には、雌ねじを切ったねじ孔５３Ａを中央に有するプレート５３が挿入されている。なお、この台座５１から回動部材５２が抜け出さないようするため、台座５１には樹脂爪５１Ｂを突設しているとともに、回動部材５２には樹脂爪５１Ｂが通り抜けることができる大きさに穿設した溝５２Ｂを設けている。
【００３３】
次に、この固定手段５の組付け方法及び傾斜角度の変更方法について説明する。
図６（Ａ）に示すように、台座５１の樹脂爪５１Ｂと回動部材５２の溝５２Ｂとが一致するように、回動部材５２若しくは台座５１を回動させて、双方の位置を合わせた後、回動部材５２を台座５１の下部から内部に挿入させる。このようにして、回動部材５２を挿入させたならば、回動部材５２を回動させ、台座５１の樹脂爪５１Ｂと回動部材５２の溝５２Ｂとが一致しないように位置を調整する（図６（Ｂ）参照）。
【００３４】
次に、回動部材５２を挿入させた台座５１を、携帯電話機保持装置の本体１底面に開口された回動孔１Ｅから差込み、この回動孔１Ｅに台座５１の上部を挿入させた後、本体１の表面側から、開口部１Ｄを介してビス５４を差込み、ブラケット５０の孔５０Ａにそのビス５４を挿入する。さらに、このビス５４を回動部材５３の孔を通してプレート５３のねじ孔５３Ａにねじ込ませ、プレート５３及び回動部材５２をビス５４でブラケット５０にしっかりと固定する。
【００３５】
このようにして、ビス５４で回動部材５２側をブラケット５０側に止め付けると、回動部材５２と本体１の回動孔１Ｅとの間で、台座５１も挟持されるので、台座５１に対して本体１が固定されることとなる。なお、本体１と、台座５１と、回動部材５２とは、摩擦力で、互いに安定した状態に固定させるような構成としてもよい。
【００３６】
最後に、その台座５１を車体内の適宜の部位に螺着させると、携帯電話機保持装置を車体にしっかりと固定させることができる。また、本体１の開口部１Ｄには、キャップ５５を嵌め込む。
【００３７】
また、このようにして固定された携帯電話機保持装置を、例えば、図７（Ａ）又は（Ｂ）に示すように、車体に対して所望の角度に傾斜させたり、その後、傾斜角度を変更させる場合には、本体１の開口部１Ｄに嵌め込んであるキャップ５５をとりはずしたのち、ビス５４を緩めれば、本体１のブラケット５０と回動部材５２との間に隙間を生じて緩くなるので、本体１を好みの方向に傾斜角度を変更させることができる。
【００３８】
このようにして、傾斜角度を変更させたのち、再び、同様の操作を行い、ビスを締め付けて、本体１のブラケット５０と回動部材５２との間をしっかりと固定させることができる。
【００３９】
【発明の効果】
以上説明したように、本発明によれば、車体に対して固定され携帯電話機が搭載させる本体と、この本体に対してスライド可能に設けられ携帯電話機本体の一方の端部を係止・固定させる保持体と、この保持体に本体へ向かう弾性力を付勢する弾性部材とを備えており、保持体をスライドさせることで、長さの異なる各種の携帯電話機の保持を行うことが可能になり、汎用性のある携帯電話機車内保持装置が実現できるようになる。
【００４０】
また、本発明によれば、携帯電話機保持装置の本体を車体に対して傾斜可能に取り付ける固定手段を備えたので、使用者の使用態様や体格などに合わせ、好みの角度で携帯電話機を保持できるといった効果が得られる。
【図面の簡単な説明】
【図１】この発明の第１の実施形態に係る携帯電話機保持装置を示すものであり、（Ａ）は平面図、（Ｂ）は側面図、（Ｃ）は（Ａ）におけるI-I線概略断面図である。
【図２】図１に示す第１の実施形態にかかる保持体の断面図であり、（Ａ）は伸長前の状態、（Ｂ）は伸長後の状態を示すものである。
【図３】図１に示す第１の実施形態にかかる携帯電話機保持装置の平面図であり、（Ａ）は伸長前の状態、（Ｂ）は伸長後の状態を示すものである。
【図４】この発明の第２の実施形態に係る携帯電話機保持装置を示すものであり、（Ａ）は平面図、（Ｂ）は側面の破断面図である。
【図５】第２の実施形態に係る携帯電話機保持装置の傾斜機構を備えた固定手段の要部を下から見たときの状態を示す分解斜視図である。
【図６】（Ａ）及び（Ｂ）は、図５に示す固定手段の組付け方法を示す説明図である。
【図７】（Ａ）及び（Ｂ）は、第２の実施形態に係る携帯電話機保持装置の傾斜機構の作用を示す側面の破断面図である。
【図８】（Ａ）及び（Ｂ）は、従来の携帯電話機保持装置を示す平面図及び断面図である。
【符号の説明】
１      本体（携帯電話機保持装置）
１Ａ    凹所（携帯電話機の収納部）
１Ｂ    括れ部
１Ｃ    凹部
１３    ボス
１４    トーションばね（弾性部材）
２      保持体（携帯電話機保持装置）
２Ａ    スライド部
２Ｂ    被押圧部
２Ｃ    フック部
３      弾性部材
４      携帯電話機
５      固定手段（傾斜機構を兼用）
５０    ブラケット
５１    台座
５２    回動部材
５３    プレート
５４    ビス
５５    キャップ
【図１】
0003813844.tif 000002
【図２】
0003813844.tif 000003
【図３】
0003813844.tif 000004
【図４】
0003813844.tif 000005
【図５】
0003813844.tif 000006
【図６】
0003813844.tif 000007
【図７】
0003813844.tif 000008
【図８】
0003813844.tif 000009